(57)【要約】【課題】外観が傷付きにくい電子機器を提供する。【解決手段】電子機器１は、第２の筐体１４を、第１の筐体６の下方に重ねられた第１の状態から、第１の筐体６に対してずれた第２の状態へ変位可能に支持したスライド機構２１と、第２の筐体１４を、前記第２の状態から、第１の筐体６に対して立て起こされた第３の状態へ変位可能に支持したヒンジ機構２２とを具備した。【選択図】      図８
2010225068.tif 000002
【特許請求の範囲】
【請求項１】
第１の筐体と、
第２の筐体と、
前記第２の筐体を、前記第１の筐体の下方に重ねられた第１の状態から、前記第１の筐体に対してずれた第２の状態へ変位可能に支持したスライド機構と、
前記第２の筐体を、前記第２の状態から、前記第１の筐体に対して立て起こされた第３の状態へ変位可能に支持したヒンジ機構と、
を具備したことを特徴とする電子機器。
【請求項２】
請求項１の記載において、
前記第１の筐体は、前記第２の状態にて前記第２の筐体に対向する第１の端部と、この第１の端部とは反対側となる第２の端部とを有し、
前記第３の状態にて、前記第１の端部は設置面から離れた状態で前記第２の筐体に支持され、前記第１の筐体は前記第１の端部から前記第２の端部に向かうに従い当該第１の筐体の高さが低くなるように傾斜した姿勢になることを特徴とする電子機器。
【請求項３】
請求項２の記載において、
前記第３の状態にて、前記第２の筐体の下端部と、前記第１の筐体の第２の端部とが設置面に接する支持部となることを特徴とする電子機器。
【請求項４】
請求項３の記載において、
前記第１の筐体に収容されるとともに、入力を受け付ける操作面を有した表示装置を備え、前記第１の筐体の上面は、前記操作面を露出させる開口部を有したことを特徴とする電子機器。
【請求項５】
請求項４の記載において、
前記第２の筐体に収容された第２の表示装置を備え、
前記第２の筐体は、前記第１の状態にて前記第１の筐体に向かい合う面に、前記第２の表示装置を露出させる開口部を有したことを特徴とする電子機器。
【請求項６】
請求項５の記載において、
前記第１の筐体の第１の端部の上面は、当該第１の端部の先端部に近付くに従い前記第１の筐体の下面に近付くように傾斜した傾斜部を有したことを特徴とする電子機器。
【請求項７】
請求項５の記載において、
前記第２の表示装置は、入力を受け付ける操作面を有したことを特徴とする電子機器。
【請求項８】
請求項５の記載において、
前記第１の筐体の上面に設けられた操作ボタンを備えたことを特徴とする電子機器。
【請求項９】
請求項１または請求項２の記載において、
前記第２の筐体は、前記第１の状態にて前記第１の筐体に向かい合う面とは反対側となる面に露出された機能部品を備えたことを特徴とする電子機器。
【請求項１０】
請求項２の記載において、
前記第１の筐体に収容されたバッテリーを備え、
前記バッテリーは、前記第１の筐体の中で前記第２の端部に搭載されたことを特徴とする電子機器。
【請求項１１】
請求項２の記載において、
前記第１の筐体に収容されたアンテナを備えたことを特徴とする電子機器。
【請求項１２】
請求項２の記載において、
前記第１の筐体に収容された燃料電池を備え、
前記第１の筐体の下面は、前記燃料電池の周囲を、前記第１の筐体と設置面との間の空間に通じさせる通気孔を有したことを特徴とする電子機器。
【発明の詳細な説明】
【技術分野】
【０００１】
本発明は、互いに連結された２つの筐体を備える電子機器に関する。
【背景技術】
【０００２】
携帯情報端末のような電子機器の多くは、互いに連結された２つの筐体を備える。例えば特許文献１は、第１および第２の筐体（第１および第２の電子コンポーネント）がスライド機構およびチルト機構を介して互いに連結された電子機器を開示している。
【０００３】
この電子機器では、上側となる第１の筐体に表示装置および操作ボタンが搭載されている。下側となる第２の筐体には、キーボードが設けられている。第１の筐体は、前記キーボードを覆い隠すように前記第２の筐体の上方に重ねられた第１の状態から、前記キーボードを露出させるように前記第２の筐体に対してずれた第２の状態へ変位可能である。さらに第１の筐体は、前記第２の状態から立て起こされた第３の状態まで変位可能である。
【０００４】
この電子機器では、上記第１の状態にて寝かされた状態で使用される第１の筐体の操作ボタンが、第２の状態では第１の筐体ごと立て起こされて使用されることになり、電子機器の形態変化に伴い操作ボタンの位置が大きく異なる。さらに上記第１の状態では、キーボードは使用できない。
【先行技術文献】
【特許文献】
【０００５】
【特許文献１】特開２００８−１１３０６７号公報
【発明の概要】
【発明が解決しようとする課題】
【０００６】
ところで、上記特許文献１に記載のような電子機器は、第２の筐体の下面（底面）が設置面に常に設置された状態となる。このような状態で、入力操作など各種の操作が行われると、第２の筐体の下面が設置面に擦れて、電子機器の外観が傷付くことがある。
【０００７】
さらに上記特許文献１に記載の電子機器では、電子機器の形態変化に伴い操作部（操作ボタン）の位置が大きく変化し、さらにメインの操作部であるキーボードが一部の状態で使用できないなど、電子機器の形態変化に伴い操作性が大きく異なることになる。このように、電子機器の形態変化に伴い操作性が大きく変わると、ユーザは電子機器を使いにくいと感じることがある。
【０００８】
本発明は、使いやすく、外観が傷付きにくい電子機器を提供することを目的とする。
【課題を解決するための手段】
【０００９】
本発明の一つの形態に係る電子機器は、第１の筐体と、第２の筐体と、前記第２の筐体を、前記第１の筐体の下方に重ねられた第１の状態から、前記第１の筐体に対してずれた第２の状態へ変位可能に支持したスライド機構と、前記第２の筐体を、前記第２の状態から、前記第１の筐体に対して立て起こされた第３の状態へ変位可能に支持したヒンジ機構とを具備した。
【発明の効果】
【００１０】
本発明によれば、電子機器の外観が傷付きにくい。
【図面の簡単な説明】
【００１１】
【図１】本発明の第１の実施形態に係る電子機器の斜視図。
【図２】本発明の第１の実施形態に係る連結部の斜視図。
【図３】本発明の第１の実施形態に係る連結部を分解して示す斜視図。
【図４】本発明の第１の実施形態に係る電子機器の第１の状態を示す断面図。
【図５】本発明の第１の実施形態に係る連結部の第１の状態を示す斜視図。
【図６】本発明の第１の実施形態に係る電子機器の第２の状態を示す断面図。
【図７】本発明の第１の実施形態に係る連結部の第２の状態を示す斜視図。
【図８】本発明の第１の実施形態に係る電子機器の第３の状態を示す断面図。
【図９】本発明の第１の実施形態に係る連結部の第３の状態を示す斜視図。
【図１０】本発明の第１の実施形態の第１の変形例に係る電子機器の斜視図。
【図１１】本発明の第１の実施形態の第２の変形例に係る電子機器の斜視図。
【図１２】本発明の第２の実施形態に係る電子機器の断面図。
【図１３】本発明の第３の実施形態に係る電子機器の断面図。
【図１４】本発明の第４の実施形態に係る電子機器の断面図。
【図１５】本発明の第５の実施形態に係る電子機器の断面図。
【発明を実施するための形態】
【００１２】
以下に本発明の実施の形態を、携帯情報端末に適用した図面に基づいて説明する。  
（第１の実施形態）  
図１ないし図９は、本発明の第１の実施形態に係る電子機器１を開示している。電子機器１は、例えば比較的小型の携帯型電子機器であり、具体例としては携帯情報端末（Personal Digital Assistant；ＰＤＡ）である。なお本発明は、上記に限定されるものではなく、スマートフォンやモバイル通信機器、ポケットコンピュータ、ゲーム機、または携帯電話機などを含む種々の電子機器に広く適用可能である。
【００１３】
図１に示すように、電子機器１は、第１のユニット２と、第２のユニット３と、連結部４（図４参照）とを備えている。第１のユニット２は、例えば表示機能と入力機能とを有した本体ユニットである。第１のユニット２は、例えば扁平な箱状に形成された第１の筐体６を有する。
【００１４】
第１の筐体６は、上面６ａ、下面６ｂ、および側面６ｃを有する。上面６ａは、後述する第１の状態（図４参照）にて、略水平に広がるとともに、電子機器１のなかで最も上部に位置する。下面６ｂは、上面６ａとの間に空間を空けて、上面６ａと略平行に広がっている。側面６ｃは、下面６ｂに対して起立して延びており、上面６ａの縁部と下面６ｂの縁部との間を繋いでいる。
【００１５】
図１および図４に示すように、第１の筐体６は、第１の表示装置７を収容している。第１の表示装置７は、表示パネル８と、この表示パネル８に積層されたタッチパネル９（操作パネル）とを有し、タブレット機能を有する。表示パネル８としては、例えば液晶ディスプレイ（Liquid Crystal Display；ＬＣＤ）や有機エレクトリックルミネッセンスディスプレイ（有機ＥＬディスプレイ）などが具体例として挙げられるが、これらに限定されるものでもない。
【００１６】
タッチパネル９は、外部からの入力を受け付ける操作面１０を有する。操作面１０は、本発明でいう操作部の一例であり、さらに言えば電子機器１のメインの操作部である。この操作面１０を通じて、表示パネル８が各種の画像や映像を表示するとともに、例えばソフトウェアによるキーボードや各種ボタンを表示する。ユーザは、例えばタブレットペンや指先などで操作面１０に接することで、操作面１０から情報や操作の入力を行うことができる。
【００１７】
図１および図４に示すように、第１の筐体６の上面６ａは、第１の表示装置７の操作面１０を露出させる第１の開口部１２を有する。図１に示すように、第１の筐体６の側面６ｃには、例えば電源や各種端子のプラグ１３が差し込み可能なコネクタ（図示しない）が設けられている。
【００１８】
第２のユニット３は、例えば表示機能を有した表示ユニットである。第２のユニット３は、例えば扁平な箱状に形成された第２の筐体１４を有する。第２の筐体１４は、上面１４ａ、下面１４ｂ、および側面１４ｃを有する。上面１４ａは、後述する第１の状態（図４参照）にて、略水平に広がるとともに、第１の筐体６の下面６ｂに下方から対向する。下面１４ｂは、電子機器１の底面である。下面１４ｂは、上面１４ａとの間に空間を空けて、上面１４ａと略平行に広がっている。側面１４ｃは、下面１４ｂに対して起立して延びており、上面１４ａの縁部と下面１４ｂの縁部との間を繋いでいる。
【００１９】
図１および図４に示すように、第２の筐体１４は、第２の表示装置１５を収容している。第２の表示装置１５は、表示パネルであり、画像や映像を表示する表示画面１６を有する。この表示パネルとしては、上記第１の表示装置７と同様に、例えば液晶ディスプレイや有機エレクトリックルミネッセンスディスプレイなどが具体例として挙げられるが、これらに限定されるものでもない。図１および図４に示すように、第２の筐体１４の上面１４ａは、第２の表示装置１５の表示画面１６を露出させる第２の開口部１８を有する。
【００２０】
図４に示すように、連結部４は、第１および第２の筐体６，１４の間に設けられおり、第１および第２の筐体６，１４を互いに連結している。連結部４は、スライド機構２１と、ヒンジ機構２２（回転ヒンジ機構）とを有する。
【００２１】
図２および図３に示すように、スライド機構２１は、レール部２４と、スライダ部２５とを有する。レール部２４は、板状に形成されたレール部基部２６と、このレール部基部２６の両側の端部に沿って延びた一対のガイド部２７ａ，２７ｂとを有する。ガイド部２７ａ，２７ｂは、スライダ部２５を案内する方向（すなわち、図４中の左右方向）に沿って延びている。図４に示すように、レール部２４は、第１の筐体６の下面６ｂに取り付けられている。
【００２２】
図３に示すように、スライダ部２５は、板状に形成されたスライダ部基部２８と、このスライダ部基部２８の両側の端部に設けられた一対の摺動部２９ａ，２９ｂとを有する。スライダ部基部２８の幅は、レール部２４の幅と略同じに設定されている。スライダ部基部２８は、レール部基部２６に対して下方から重ねられている。摺動部２９ａ，２９ｂは、ガイド部２７ａ，２７ｂに遊嵌し、ガイド部２７ａ，２７ｂに沿って移動可能になっている。これにより、スライダ部２５は、レール部２４に案内されてスライド移動可能である。
【００２３】
図２および図３に示すように、ヒンジ機構２２は、例えば一対のヒンジ部３１ａ，３１ｂを備えている。一対のヒンジ部３１ａ，３１ｂは、それぞれ、第１の部分３２と、この第１の部分３２に対して回動可能な第２の部分３３とを有する。第１の部分３２は、例えばねじなどによって、スライダ部２５に固定されている。第２の部分３３は、例えばねじなどによって、第２の筐体１４に固定されている。
【００２４】
図４に示すように、第１の筐体６は、第１の端部４１と、この第１の端部４１とは反対側となる第２の端部４２とを有する。第１の端部４１は、後述する第２の状態（図５参照）にて、第２の筐体１４に対向する端部である。図４に示すように、第１の端部４１の上面６ａは、当該第１の端部４１の先端部に近づくに従い第１の筐体６の厚さが薄くなる傾斜部４６を有する。この傾斜部４６では、上面６ａが第１の端部４１の先端部に近付くに従い下面６ｂに近付くように傾斜している。
【００２５】
第２の筐体１４は、第３の端部４３と、この第３の端部４３とは反対側となる第４の端部４４とを有する。第３の端部４３は、後述する第１の状態（図４参照）にて、第１の筐体６の第１の端部４１に対向する。第４の端部４４は、第１の状態（図４参照）にて、第１の筐体６の第２の端部４２に対向する。
【００２６】
図４に示すように、レール部２４は、第１の筐体６において第１の端部４１から第２の端部４２に亘って設けられている。すなわち、スライダ部２５は、第１の端部４１から第２の端部４２に亘って移動可能になっている。ヒンジ機構２２の第２の部分３３は、第２の筐体１４の第４の端部４４に固定されている。
【００２７】
このような構成の電子機器１は、次の第１ないし第３の状態の間で姿勢変形が可能である。図４は、第１の状態にある電子機器１を示す。この第１の状態は、いわゆる畳まれた状態（閉じた状態）である。この第１の状態では、第２の筐体１４は、第１の筐体６の下方に配置され、第１の筐体６に重ねられている。第２の筐体１４の第３および第４の端部４３，４４は、第１の筐体６の第１および第２の端部４１，４２にそれぞれ対向している。
【００２８】
第１および第２の筐体６，１４は、ともに略水平に寝かされた姿勢にある。第１の筐体６の第１の開口部１２は上方に向いて開口しており、第１の表示装置７の操作面１０が上方に露出されている。第２の筐体１４の下面１４ｂの略全面が設置面Ｐに接している。図５に示すように、上記第１の状態では、スライダ部２５は、第２の端部４２側となるレール部２４の端部２４ａに位置する。
【００２９】
図６は、第２の状態にある電子機器１を示す。この第２の状態は、いわゆる展開途中の状態（開いた状態）である。第２の筐体１４は、上記第１の状態から、第１の筐体６に対して水平にずらされることで、第２の状態となる。すなわち、第１および第２の筐体６，１４を互いに平行にずらすことで、第２の筐体１４の第４の端部４４が第１の筐体６の第１の端部４１に対向した第２の状態となる。この第２の状態では、第２の筐体１４の第２の開口部１８が外部に露出され、この第２の開口部１８を通じて第２の表示装置１５が外部に露出される。
【００３０】
なお図６中の矢印では、第２の筐体１４を移動させているが、これに代えて、第１の筐体６を移動させて、上記第１の状態から上記第２の状態へ変位させてもよい。
【００３１】
図７に示すように、上記第２の状態では、スライダ部２５は、第１の端部４１側となるレール部２４の端部２４ｂに位置する。すなわち、電子機器１は、スライダ部２５をレール部２４に沿ってスライドさせることで、上記第１の状態から上記第２の状態へ形態が変わる。つまりスライド機構２１は、上記第１の状態から上記第２の状態へ変位可能（スライド移動可能）に、第２の筐体１４を第１の筐体６に対して支持している。
【００３２】
図８は、第３の状態にある電子機器１を示す。この第３の状態は、いわゆる展開された状態（開き傾けた状態）である。第２の筐体１４は、上記第２の状態から、ヒンジ機構２２のヒンジ部３１ａ，３１ｂを軸とし、第１の筐体６に対して任意の角度まで立て起こされた状態（回転移動された状態）である。すなわち、第２の筐体１４の第３の端部４３を上方に持ち上げることで、第２の筐体１４が斜めに傾斜して起立した第３の状態になる。
【００３３】
この第３の状態では、第２の筐体１４の第２の開口部１８を通じて第２の表示装置１５の表示画面１６が外部に露出されている。第１の筐体６の第１の端部４１は、第２の筐体１４の下部４８の上に載り、設置面Ｐ（例えば机上）から離れた状態で第２の筐体１４の下部４８に支持されている。第１の筐体６の第２の端部４２は、設置面Ｐに接している。これにより、第１の筐体６の下面６ｂの大部分は、設置面Ｐから浮き上がった状態になる。
【００３４】
なお下部４８とは、上記第３の状態にある第２の筐体１４のなかで当該第２の筐体１４の下側の半分となる部分であり、例えば開口部１８よりも下側となる部分である。また「下部４８の上に載り」とは、下部４８の少なくとも一部よりも上方に位置し、下部４８に寄りかかっている状態をいう。
【００３５】
すなわち、第１の筐体６は、第１の端部４１から第２の端部４２に向けて進むに従い当該第１の筐体６の高さが低くなるように傾斜した姿勢（いわゆる前下がりの姿勢）になっている。そして、第１の筐体６の第１の開口部１２を通じて第１の表示装置７の操作面１０が外部に露出されている。
【００３６】
図８に示すように、この第３の状態では、第１の筐体６の下端部（すなわち第４の端部４４）と、第１の筐体６の第２の端部４２とが設置面Ｐに接する支持部（筐体支持部）となっている。
【００３７】
図９に示すように、電子機器１は、ヒンジ機構２２の第２の部分３３が第１の部分３２に対して回動することで、上記第２の状態から上記第３の状態へ形態が変わる。つまりヒンジ機構２２は、上記第２の状態から上記第３の状態へ変位可能（傾斜可能）に、第２の筐体１４を第１の筐体６に対して支持している。なお、ヒンジ機構２２の第１および第２の部分３２，３３の間には、例えば一定の摩擦力があり、任意の角度まで立て起こされた第２の筐体１４は、その任意の角度で姿勢が維持される。
【００３８】
次に、電子機器１の作用について説明する。  
図４に示すように、ユーザは、電子機器１を上記第１の状態にすることで、電子機器１を折り畳んだ状態で使用（簡易使用）することできる。すなわち、第１の表示装置７の操作面１０に、比較的小さな各種の画像や映像、ソフトウェア上のキーボードや各種ボタンを表示させることで、画像や映像を見ることができるとともに、電子機器１の操作を行うことができる。
【００３９】
一方、図１および図８に示すように、ユーザは、電子機器１を上記第３の状態にすることで、電子機器を展開した状態で使用（本格使用）することができる。すなわち、第１の表示装置７の操作面１０に、比較的小さな各種の画像や映像、ソフトウェア上のキーボードや各種ボタンを表示させるとともに、第２の表示装置１５の表示画面１６に、比較的大きな各種の画像や映像を表示させることで、ユーザは、例えば鮮明で情報量が大きな画像や映像を見ることができるとともに、電子機器１の操作を行うことができる。
【００４０】
なお、上記使用例は、本発明の使用形態の一例であり、本発明が上記に限定されるものではない。例えば、上記第３の状態では、第１の表示装置７の操作面１０への各種の画像や映像の表示は停止してもよい。上記第１の状態では、操作面１０に、各種の画像や映像のみを表示し、ソフトウェア上のキーボードや各種ボタンは表示しなくてもよい。
【００４１】
このような構成によれば、電子機器１の外観が傷付きにくくなる。すなわち、スライド機構２１およびヒンジ機構２２を備えると、電子機器１を畳まれた第１の状態から展開された第３の状態に変形させることができる。そして、電子機器１が本格使用される上記第３の状態では、第２の筐体１４は立て起こされており、第２の筐体１４の大部分は、設置面Ｐに接していない。この状態で電子機器１が使用されると、第２の筐体１４が設置面Ｐに擦れにくく、電子機器１の外観が傷付きにくい。
【００４２】
特に、上記第３の状態にて、第２の筐体１４の下端部（第４の端部４４）と、第１の筐体６の第２の端部４２とだけが設置面Ｐに接して電子機器１を支持する構造によれば、電子機器１の他の部分（例えば第１の筐体６の下面６ｂの大部分）が設置面Ｐに擦れないので、電子機器１の外観がさらに傷付きにくい。
【００４３】
電子機器１では、畳まれた状態（上記第１の状態）でも、展開された状態（上記第３の状態）でも、操作面１０が隠れない。すなわち、ユーザは、電子機器１の形態に関わらず、常に操作面１０を使用することができる。つまり、本実施形態に係る第１の筐体６は、電子機器１の形態変化に伴って位置が大きく変化しない。このような第１の筐体６に操作部（操作面１０）を設けると、電子機器１の形態変化に伴い操作部の位置が大きく異なることもなく、一部の状態で操作部が隠れてしまうこともない。このような電子機器１は、当該電子機器１の形態が変化しても操作性が変わりにくく、ユーザにとって非常に使いやすいものになる。
【００４４】
操作面１０が設けられた第１の筐体６は、上記第１の状態と、上記第３の状態とで位置がほとんど変わらない。これにより、上記第１の状態における電子機器１の操作感と、上記第３の状態における電子機器１の操作感とを互いに近似させることができる。すなわち、上記第１の状態から上記第３の状態に変形させた電子機器１において、ユーザは、近似した操作感で電子機器１を使用することができる。これは、電子機器１の操作性を大きく向上させる。
【００４５】
さらに、立て起こされた第２の筐体１４ではなく、第１の筐体６に操作面１０が設けられているため、操作面１０を押しても電子機器１が倒れにくくなっている。つまり、操作面１０が、第２の筐体１４の下端部（第４の端部４４）と、第１の筐体６の第２の端部４２との間で支持されるため、操作面１０を比較的強く押すことがあっても、第１の筐体６は倒れにくくなっている。
【００４６】
上記第３の状態にて、第１の筐体６が傾斜した姿勢（前下がりの姿勢）になると、ユーザから見たときに第１の表示装置７の操作面１０が見やすく、且つ、操作しやすくなる。すなわち電子機器１は、特別なチルト機構を設けることなく、立て起こされた第２の筐体１４の下端部を利用して第１の筐体６を傾斜させたものである。換言すれば、電子機器１は、当該電子機器１の変形構造を活かして部品点数の削減を図ったものである。
【００４７】
第２の筐体１４が第２の表示装置１５を有すると、電子機器１を上記第３の状態まで変形させることで、２画面を利用して多くの情報の取得や各種操作を行うことができる。ここで、電子機器１は、第１の筐体６の下面６ｂが第２の筐体１４に連結されているため、第１の筐体６に対する第２の筐体１４のスライド移動のストロークが比較的制限されやすい。スライド移動のストロークが制限されやすいと、第２の筐体１４に大きな開口部１８を形成することは困難になる。
【００４８】
しかしながら、本実施形態のように、第１の端部４１の上面６ａが下面６ｂに近づくように傾斜した傾斜部４６を有すると、図８に示すように、第１の筐体６に邪魔されることなく、第２の筐体１４の開口部１８を大きく取ることができる。
【００４９】
次に、図１０および図１１を参照して、本発明の第１の実施形態の第１および第２の変形例について説明する。  
図１０に示すように、第１の変形例に係る電子機器１は、第１および第２の表示装置７，１５が共に、入力を受け付ける操作面１０を有する。すなわち、本実施形態に係る第２の表示装置１５は、第１の表示装置７と同様に、表示パネル８とタッチパネル９とを有し、タブレット機能を有する。このような電子機器１によれば、第１および第２の表示装置７，１５の操作面１０を活用することで、表示方法や操作方法のバリエーションを広げることができ、操作性の向上が期待できる。
【００５０】
図１１に示すように、第２の変形例に係る電子機器１は、第１の筐体６の上面６ａに、操作ボタン５１を備えている。操作ボタン５１は、例えば十字キーであるが、これに限定されるものではない。操作ボタン５１を設けることで、操作方法のバリエーションを広げることができ、操作性の向上が期待できる。
【００５１】
（第２の実施形態）  
次に、本発明の第２の実施形態に係る電子機器１について、図１２を参照して説明する。なお上記第１の実施形態の構成と同一または類似の機能を有する構成は、同一の符号を付してその説明を省略する。また、下記に説明する以外の構成は、上記第１の実施形態と同じである。
【００５２】
図１２に示すように、電子機器１は、第２の筐体１４の下面１４ｂ（すなわち、上記第１の状態にて第１の筐体６に向かい合う面とは反対側となる面）に露出された機能部品５６を備える。機能部品５６の一例は、カメラモジュールである。なお、本発明でいう「露出された」とは、例えば保護用の透明部材を介して露出されている場合も含む。また機能部品５６は、カメラモジュールに限定されるものではなく、指紋認証モジュールや各種のボタン、コネクタなど種々の部品が広く該当する。
【００５３】
このような構成によれば、上記第１の実施形態と同様に、使いやすく、外観が傷付きにくい電子機器１が得られる。さらに、第２の筐体１４の下面１４ｂに機能部品５６を備えると、電子機器１を上記第３の状態に変形させたときに、第２の筐体１４の下面１４ｂが設置面Ｐに接しないので、機能部品５６が傷付く可能性がほとんどなく、電子機器１の信頼性を向上させることができる。
【００５４】
（第３の実施形態）  
次に、本発明の第３の実施形態に係る電子機器１について、図１３を参照して説明する。なお上記第１の実施形態の構成と同一または類似の機能を有する構成は、同一の符号を付してその説明を省略する。また、下記に説明する以外の構成は、上記第１の実施形態と同じである。
【００５５】
図１３に示すように、第１の筐体６は、バッテリー６１を収容している。バッテリー６１は、第１の筐体６の中で第２の端部４２に搭載されている。
【００５６】
このような構成によれば、上記第１の実施形態と同様に、使いやすく、外観が傷付きにくい電子機器１が得られる。さらに、第１の筐体６の第２の端部４２にバッテリー６１が搭載されていると、電子機器１の安定性が向上する。すなわち、第２の筐体１４が後方に傾斜しているため、第２の筐体１４に力が加わると、電子機器１はバランスを崩す可能性がある。
【００５７】
しかしながら、電子機器１に搭載される部品のなかで比較的重量があるバッテリー６１を、第２の筐体１４とは反対側となる第１の筐体６の第２の端部４２に搭載することで、電子機器１のバランスが向上する。これにより、電子機器１をさらに安定して使用することができる。
【００５８】
（第４の実施形態）  
次に、本発明の第４の実施形態に係る電子機器１について、図１４を参照して説明する。なお上記第１の実施形態の構成と同一または類似の機能を有する構成は、同一の符号を付してその説明を省略する。また、下記に説明する以外の構成は、上記第１の実施形態と同じである。
【００５９】
図１４に示すように、第１の筐体６は、アンテナ６６を収容している。アンテナ６６は、例えば、上記第３の状態にて第１の筐体６の中で最も上部となる領域に搭載されている。第１のユニット２は、さらに、無線モジュール部６７と、制御部６８とを有している。無線モジュール部６７は、第１の筐体６に収容された無線回路であり、アンテナ６６を制御する。制御部６８は、電子機器１の全体の制御を統括する。アンテナ６６は、受信した信号を、無線モジュール部６７を介して制御部６８へ送るとともに、制御部６８からの信号を、無線モジュール部６７を介して受け取り、その信号を外部に送信する。
【００６０】
このような構成によれば、上記第１の実施形態と同様に、使いやすく、外観が傷付きにくい電子機器１が得られる。さらに、第１の筐体６が上記第３の状態にて傾斜する（すなわちアンテナ６６の位置が上記第１の状態のときに比べて高くなる）ので、第１の筐体６にアンテナ６６を搭載しても、比較的良好なアンテナ６６の利得を得ることができる。
【００６１】
アンテナ６６を、無線モジュール部６７と共に第１の筐体６に搭載できると、アンテナ６６を第２の筐体１４に搭載したときに必要となる、連結部４を通るケーブルなどを省略することができるため、電子機器１の小型化を図りやすくなる。なお、アンテナ６６は、第１の筐体６に代えて、第２の筐体１４に搭載されてもよい（図１４中、２点鎖線参照）。
【００６２】
（第５の実施形態）  
次に、本発明の第５の実施形態に係る電子機器１について、図１５を参照して説明する。なお上記第１の実施形態の構成と同一または類似の機能を有する構成は、同一の符号を付してその説明を省略する。また、下記に説明する以外の構成は、上記第１の実施形態と同じである。
【００６３】
図１５に示すように、第１の筐体６は、燃料電池７１を収容している。燃料電池７１は、第１の筐体６の中で下面６ｂに沿って搭載されている。燃料電池７１の一例は、ＤＭＦＣタイプの燃料電池である。燃料電池７１は、メタノールと、空気中の酸素とを反応させて発電動作を行い、二酸化炭素や水（水蒸気）といった生成物を生成する。
【００６４】
第１の筐体６の下面６ｂは、燃料電池７１の周囲を第１の筐体６の外部に通じさせる通気孔７２を有する。通気孔７２は、例えば第１の筐体６の外部の新鮮な空気を、燃料電池７１の周囲に流入させる。通気孔７２は、例えば燃料電池７１の発電動作により生じた生成物を第１の筐体６の外部に排出させる。つまり、燃料電池７１により生成された生成物は、通気孔７２を通じて、第１の筐体６と設置面Ｐとの間の空間Ｓに排出される。なお、下面６ｂに設けられた通気孔７２は、第１の筐体６の内部に空気を取り入れる機能、および第１の筐体６の外部に生成物を排出する機能の両方を有する必要は無く、少なくとも一方の機能を有していればよい。
【００６５】
このような構成によれば、上記第１の実施形態と同様に、使いやすく、外観が傷付きにくい電子機器１が得られる。さらに、燃料電池７１を第１の筐体６に搭載するとともに、第１の筐体６の下面６ｂに通気孔７２を設けることで、燃料電池７１の発電効率を高めることができる。
【００６６】
すなわち、一般に、設置面に水平に置かれる筐体に燃料電池を搭載すると、燃料電池７１の周囲の通気性があまり良くなく、新鮮な空気の供給や生成物の円滑な排出が妨げられ、発電効率が低下することがある。
【００６７】
一方、本実施形態のように、斜めに傾斜することで設置面Ｐから離れた第１の筐体６の姿勢を活かし、燃料電池７１の周りを、第１の筐体６と設置面Ｐとの間の空間Ｓに通じさせることで、新鮮な空気の供給や生成物の円滑な排出を良好に行うことができる。これにより、燃料電池７１の発電効率を高めることができる。
【００６８】
以上、本発明の第１ないし第５の実施形態に係る電子機器について説明したが、本発明はこれらに限定されるものではない。第１ないし第５の実施形態に係る各構成要素は、適宜組み合わせて用いることができる。また、この発明は上記実施形態そのままに限定されるものではなく、実施段階ではその要旨を逸脱しない範囲で構成要素を変形して具体化できる。
【符号の説明】
【００６９】
Ｐ…設置面、１…電子機器、６…第１の筐体、６ａ…上面、６ｂ…下面、７…第１の表示装置、１０…操作面、１２…第１の開口部、１４…第２の筐体、１４ａ…上面、１４ｂ…下面、１５…第２の表示装置、１６…表示画面、１８…第２の開口部、２１…スライド機構、２２…ヒンジ機構、４１…第１の端部、４２…第２の端部、４６…傾斜部、５１…操作ボタン、５６…機能部品、６１…バッテリー、６６…アンテナ、７１…燃料電池、７２…通気孔。
【図１】
2010225068.tif 000003
【図２】
2010225068.tif 000004
【図３】
2010225068.tif 000005
【図４】
2010225068.tif 000006
【図５】
2010225068.tif 000007
【図６】
2010225068.tif 000008
【図７】
2010225068.tif 000009
【図８】
2010225068.tif 000010
【図９】
2010225068.tif 000011
【図１０】
2010225068.tif 000012
【図１１】
2010225068.tif 000013
【図１２】
2010225068.tif 000014
【図１３】
2010225068.tif 000015
【図１４】
2010225068.tif 000016
【図１５】
2010225068.tif 000017